(57)【要約】  パケット・データ通信システム（１００）内のマルチメディア・ブロードキャスト／マルチキャスト・サービス（ＭＢＭＳ）サーバ（１２２）は、一時的移動体グループ識別子（ＴＭＧＩ）を生成し、ＭＢＭＳサービスに割り当て、それによりＴＭＧＩの中央レポジトリの役割を果たす。ＭＢＭＳサービスへの加入要求を受信すると、ＭＢＭＳサーバはＴＭＧＩを生成する（４００）。ＭＢＭＳサーバは、ＭＢＭＳサービスにＴＭＧＩを割り当て、ＭＢＭＳサービスに関する情報と関連付けてＴＭＧＩを記憶し、記憶されたＴＭＧＩを生成する。ＭＢＭＳサーバは、さらに、受信した要求の要求元にＴＭＧＩを搬送し、ＭＢＭＳサービスに加入した移動局（１０２〜１０４）へのＴＭＧＩの配信を行う。次に、加入移動局はＴＭＧＩを用いてＭＢＭＳサービスに関連するデータ・パケットを受信することができる。
2007535186.tif 000002
【特許請求の範囲】
【請求項１】
マルチメディア・ブロードキャスト／マルチキャスト・サービス（ＭＢＭＳ）通信セッションに一時的移動体グループ識別子（ＴＭＧＩ）を割り当てるための方法であって、
ＭＢＭＳサーバがＭＢＭＳサービスへの加入要求を受信するステップと、
要求の受信に応答してＭＢＭＳサーバがＴＭＧＩを生成するステップと、
ＭＢＭＳサーバがＭＢＭＳサービスにＴＭＧＩを割り当てるステップと、
ＭＢＭＳサーバがＭＢＭＳサービスに関する情報と関連付けてＴＭＧＩを記憶し、記憶されたＴＭＧＩを生成するステップと、
受信した要求の要求元にＴＭＧＩを搬送するステップとを備える方法。
【請求項２】
割り当てステップが、ＭＢＭＳサーバがＭＢＭＳサービスにＴＭＧＩを一意的に割り当てるステップを含む請求項１に記載の方法。
【請求項３】
一時的移動体グループ識別子が無線通信システム内でＭＢＭＳサービスを一意的に識別する識別子を含む請求項１に記載の方法。
【請求項４】
一時的移動体グループ識別子（ＴＭＧＩ）を記憶するステップが、マルチメディア・ブロードキャスト／マルチキャスト・サービス（ＭＢＭＳ）サーバが、移動局に関連する移動体識別子とサポート・ノードに関連するサポート・ノード識別子の少なくとも１つと関連付けてＴＭＧＩを記憶することで加入グループを作成するステップを含む請求項１に記載の方法。
【請求項５】
ＭＢＭＳサーバから受信したマルチメディア・ブロードキャスト／マルチキャスト・サービス（ＭＢＭＳ）サービスへの加入要求がＭＢＭＳサーバから受信したＭＢＭＳサービスへの第１の加入要求であり、
ＭＢＭＳサーバが、ＭＢＭＳサービスへの第２の加入要求を受信するステップと、
第２の要求の受信に応答して、記憶された一時的移動体グループ識別子（ＴＭＧＩ）を取り出すステップと、
受信した第２の要求の送信元に取り出されたＴＭＧＩを搬送するステップとを備える請求項１に記載の方法。
【請求項６】
サポート・ノードが、マルチメディア・ブロードキャスト／マルチキャスト・サービス（ＭＢＭＳ）サーバによって搬送される一時的移動体グループ識別子（ＴＭＧＩ）を受信するステップと、
サポート・ノードが、移動局に関連する移動体識別子と関連付けてＴＭＧＩを記憶するステップと、
ＴＭＧＩを記憶した後で、前記サポート・ノードが、前記ＭＢＭＳサービスへの加入要求を移動局から受信するステップと、
移動局からの要求の受信に応答して、前記サポート・ノードが、前記サポート・ノードによって記憶された一時的移動体グループ識別子（ＴＭＧＩ）を取り出すステップと、
前記サポート・ノードが、前記サポート・ノードが取り出したＴＭＧＩを移動局に搬送するステップとをさらに備える請求項１に記載の方法。
【請求項７】
移動局との通信セッションを設定するステップと、
ＴＭＧＩを埋め込んだデータ・パケットを前記移動局に搬送するステップと、
通信セッションの終了後、前記ＭＢＭＳサーバが、前記ＭＢＭＳサービスからＴＭＧＩを割り当て解除するステップと、
前記ＭＢＭＳサーバが、前記記憶されたＴＭＧＩを削除するステップとをさらに備える請求項１に記載の方法。
【請求項８】
少なくとも１つのメモリ素子と、
少なくとも１つのメモリ素子に動作可能に結合されるとともに、ＭＢＭＳサービスへの加入要求を受信し、前記要求の受信に応答して一時的移動体グループ識別子（ＴＭＧＩ）を生成し、前記ＭＢＭＳサービスにＴＭＧＩを割り当て、前記ＭＢＭＳサービスに関する情報と関連付けて少なくとも１つのメモリ素子内にＴＭＧＩを記憶して記憶されたＴＭＧＩを生成し、及び受信した要求の要求元にＴＭＧＩを搬送するプロセッサとを備えた、マルチメディア・ブロードキャスト／マルチキャスト・サービス（ＭＢＭＳ）サーバ。
【請求項９】
前記プロセッサが前記ＭＢＭＳサービスにＴＭＧＩを一意的に割り当てる請求項８に記載のマルチメディア・ブロードキャスト／マルチキャスト・サービス（ＭＢＭＳ）サーバ。
【請求項１０】
前記一時的移動体グループ識別子子が無線通信システム内でＭＢＭＳサービスを一意的に識別する識別子を含む請求項８に記載のマルチメディア・ブロードキャスト／マルチキャスト・サービス（ＭＢＭＳ）サーバ。
【請求項１１】
前記プロセッサが、移動局に関連する移動体識別子とサポート・ノードに関連するサポート・ノード識別子の少なくとも１つと関連付けてＴＭＧＩを記憶して加入グループを作成することで一時的移動体グループ識別子子（ＴＭＧＩ）を記憶する請求項８に記載のマルチメディア・ブロードキャスト／マルチキャスト・サービス（ＭＢＭＳ）サーバ。
【請求項１２】
前記ＭＢＭＳサーバが受信した前記ＭＢＭＳサービスへの加入要求がＭＢＭＳサーバが受信した前記ＭＢＭＳサービスへの第１の加入要求である時に、前記プロセッサが一時的移動体グループ識別子子（ＴＭＧＩ）を生成することでＴＭＧＩを生成する請求項８に記載のマルチメディア・ブロードキャスト／マルチキャスト・サービス（ＭＢＭＳ）サーバ。
【請求項１３】
プロセッサが、さらに、ＭＢＭＳサービスに関連するＭＢＭＳデータを含むデータ・パケットを受信し、データ・パケット内に一時的移動体グループ識別子子（ＴＭＧＩ）を埋め込み、通信セッションの一部としてＴＭＧＩを埋め込んだ状態で前記データ・パケットを移動局に搬送し、通信セッションの終了時に前記ＭＢＭＳサービスから前記ＴＭＧＩを割り当て解除し、少なくとも１つのメモリ素子から前記記憶されたＴＭＧＩを削除する請求項８に記載のマルチメディア・ブロードキャスト／マルチキャスト・サービス（ＭＢＭＳ）サーバ。
【発明の詳細な説明】
【技術分野】
【０００１】
本発明は、パケット・データ通信システム一般に関し、より詳細にはパケット・データ通信システムのマルチメディア・ブロードキャスト・マルチキャスト・サービスに関する。
【背景技術】
【０００２】
（関連出願への相互参照）
本出願は、２００３年８月６日付けの米国特許出願第６０／４９２８７６号（弁理士整理番号ＣＥ１１７７９Ｎ）に関連し、２００３年１０月６日付けの「マルチメディア・ブロードキャスト／マルチキャスト・サービス内に一時的移動体グループ識別子を割り当てるための方法および装置」（ＭＥＴＨＯＤ  ＡＮＤ  ＡＰＰＡＲＡＴＵＳ  ＦＯＲ  ＡＳＳＩＧＮＩＮＧ  Ａ  ＴＥＭＰＯＲＡＲＹ  ＭＯＢＩＬＥ  ＧＲＯＵＰ  ＩＤＥＮＴＩＴＹ  ＩＮ  Ａ  ＭＵＬＴＩＭＥＤＩＡ  ＢＲＯＡＤＣＡＳＴ／ＭＵＬＴＩＣＡＳＴ  ＳＥＲＶＩＣＥ）という名称の仮出願第６０／５０９００９号の優先権を主張する。上記特許出願は、本出願人が共通所有していて、参照により全体を本明細書に組み込むものとする。
【０００３】
ユニバーサル移動通信サービス（ＵＭＴＳ）標準は、セルラー移動通信システムの適合標準を提供する。ＵＭＴＳ標準では、ＵＭＴＳシステム内で動作する移動局（ＭＳ）、またはユーザ装置（ＵＥ）が、該標準に従って製造されたシステム内で動作する時に確実に通信サービスを享受することができる。適合性を確保するために、無線システム・パラメータおよびデータ転送手順は、エア・インタフェース上で交換されるディジタル制御メッセージおよびベアラ・トラヒックを規定するプロトコルを含む標準によって規定される。
【０００４】
ＵＭＴＳ標準は、３ＧＰＰ  ＴＳ  ２５．３４４（第３世代パートナーシップ・プロジェクト技術仕様２５．３４４）ｖ０．５．０、３ＧＰＰ  ＴＳ  ２３．２４６  ｖ１．１．０、および３ＧＰＰ  ＴＳ  ２３．８４６  ｖ６．１．０で、ＵＭＴＳ通信システムによるマルチメディア・ブロードキャスト／マルチキャスト・サービス（ＭＢＭＳ）サービスの、システムのサービス対象であり該サービスに加入した移動局への提供を規定する。移動局（ＭＳ）が、スーパーボウルまたはワールドカップのサッカーの試合のようなスポーツ・イベントに関する音声、映像、および／またはデータのブロードキャストのようなＭＢＭＳサービスを提供する通信システム内で起動すると、移動局はＭＢＭＳサービスに関連するマルチキャスト・データを受信したいという意思を通信システムに示して、ＭＢＭＳサービスに登録することができる。ＭＢＭＳサービスに登録することで、移動局はＭＢＭＳサービスに関連するマルチキャスト・グループに加入する。移動局からの登録要求の受信に応答して、システム内にあるサービス提供側３Ｇ−ＧＰＲＳサポート・ノード（ＳＧＳＮ）は、移動局にサービスを提供する無線アクセス・ネットワーク（ＲＡＮ）を介して、ＭＢＭＳサービスとそれに対応するマルチキャスト・グループに関連する一時的移動体グループ識別子（ＴＭＧＩ）を移動局に送信する。次いで、通信システムはＴＭＧＩを用いて、対応するＭＢＭＳサービス／マルチキャスト・グループに関連する移動局に伝送するＭＢＭＳデータを有する時点で移動局に通知する。
【発明の開示】
【発明が解決しようとする課題】
【０００５】
しかし、ＵＭＴＳ標準は、ＴＭＧＩを生成する通信システムの要素または関連するマルチキャスト・グループおよび対応するＭＢＭＳサービスにＴＭＧＩを割り当てる手順を指
定することができない。したがって、無線通信システム内でＭＢＭＳサービスに関連するＴＭＧＩを作成し割り当てるための方法および装置が必要である。
【課題を解決するための手段】
【０００６】
無線通信システムでＭＢＭＳサービスに関連するＴＭＧＩを作成し割り当てるための方法および装置の必要に対処するために、一時的移動体グループ識別子（ＴＭＧＩ）を生成し、ＭＢＭＳサービスに割り当て、これによりＴＭＧＩの中央レポジトリの役割を果たすマルチメディア・ブロードキャスト／マルチキャスト・サービス（ＭＢＭＳ）サーバがパケット・データ通信システムに提供される。ＭＢＭＳサービスへの加入要求の受信に応答して、ＭＢＭＳサーバはＴＭＧＩを生成する。ＭＢＭＳサーバは、ＭＢＭＳサービスにＴＭＧＩを割り当て、ＭＢＭＳサービスに関する情報と関連付けてＴＭＧＩを記憶し、記憶されたＴＭＧＩを生成する。ＭＢＭＳサーバは、さらに、受信した要求の要求元にＴＭＧＩを搬送し、それによりＭＢＭＳサービスに加入した移動局へのＴＭＧＩの配信を行う。加入移動局はＴＭＧＩを用いてＭＢＭＳサービスに関連するデータ・パケットを受信する。
【０００７】
一般的に、本発明の一実施形態は、マルチメディア・ブロードキャスト／マルチキャスト・サービス（ＭＢＭＳ）通信セッションに一時的移動体グループ識別子（ＴＭＧＩ）を割り当てるための方法を含む。この方法は、ＭＢＭＳサーバがＭＢＭＳサービスへの加入要求を受信するステップと、要求の受信に応答してＭＢＭＳサーバがＴＭＧＩを生成するステップと、ＭＢＭＳサーバがＭＢＭＳサービスにＴＭＧＩを割り当てるステップと、ＭＢＭＳサーバがＭＢＭＳサービスに関する情報と関連付けてＴＭＧＩを記憶して記憶されたＴＭＧＩを生成するステップと、ＭＢＭＳサーバが受信した要求の要求元にＴＭＧＩを搬送するステップとを含む。
【０００８】
本発明の別の実施形態は、少なくとも１つのメモリ素子と、少なくとも１つのメモリ素子に動作可能に結合されたプロセッサとを含むＭＢＭＳサーバを包含する。プロセッサは、ＭＢＭＳサービスへの加入要求を受信し、該要求の受信に応答してＴＭＧＩを生成し、ＭＢＭＳサービスにＴＭＧＩを割り当て、ＭＢＭＳサービスに関する情報と関連付けて少なくとも１つのメモリ素子内にＴＭＧＩを記憶して記憶されたＴＭＧＩを生成し、受信した要求の要求元にＴＭＧＩを搬送する。
【発明を実施するための最良の形態】
【０００９】
本発明を図１〜図４を参照しながら詳述する。図１は、本発明の一実施形態による無線通信システム１００のブロック図である。通信システム１００は、無線アクセス・ネットワーク（ＲＡＮ）１１０と無線通信する携帯電話、無線電話機、無線周波数（ＲＦ）機能を備える携帯情報端末（ＰＤＡ）、またはラップトップ・コンピュータのようなディジタル端末装置（ＤＴＥ）へのＲＦアクセスを提供する無線モデムのような複数の移動局（ＭＳ）、またはユーザ装置（ＵＥ）、１０２〜１０４（３つを図示）を含むが、これらに限定されない。ＲＡＮ１１０は、ＲＡＮ制御装置１１４、好ましくは無線ネットワーク制御装置（ＲＮＣ）に動作可能に結合された少なくとも１つのトランシーバ、またはノードＢ１１２を含む。通信システム１００は、さらに、ＲＡＮ１１０に結合されたサポート・ノード１１６と、該サポート・ノードを介してＲＡＮ制御装置１１４と通信するマルチメディア・ブロードキャスト／マルチキャスト・サービス（ＭＢＭＳ）サーバ１２２、好ましくはブロードキャスト・マルチキャスト・サービス・センタ（ＢＭ−ＳＣ）とを含む。サポート・ノード１１６は、通常、各々が１つまたは複数のゲートウェイ３Ｇ−ＧＰＲＳサポート・ノード（ＧＧＳＮ）に結合された１つまたは複数のサービス提供側３Ｇ−ＧＰＲＳサポート・ノード（ＳＧＳＮ）を含む。しかし、サポート・ノード１１６の正確なアーキテクチャは通信システム１００の運用者に任されており、本発明にとって重要ではない。本明細書では、ＲＡＮ１１０、サポート・ノード１１６、およびサーバ１２２をまとめ
てインフラストラクチャ１３２と呼ぶ。
【００１０】
ＭＳ１０２〜１０４の各々は、ＭＢＭＳデータのＭＳへの配信を行う通信システム１００が提供するＭＢＭＳサービスに関連する音声、映像、および／またはデータを受信し表示することができる。ＭＢＭＳサービスは３ＧＰＰ（第３世代パートナーシップ・プロジェクト）標準、特に、３ＧＰＰ  ＴＳ（技術仕様）２５．３４４  ｖ０．５．０、３ＧＰＰ  ＴＳ  ２３．８４６  ｖ６．０．０、３ＧＰＰ  ＴＳ  ２２．１４６  ｖ６．０．０、３ＧＰＰ  ＴＳ  ２３．２４６  ｖ１．１．０、３ＧＰＰ  ＴＲ（技術レポート）２１．９０５  ｖ５．４．０、およびレポートＲ２−０３００６３に詳述されている。これらの仕様およびレポートは参照により本明細書に組み込むものとし、そのコピーはインターネットを介して３ＧＰＰから、または、Ｍｏｂｉｌｅ  Ｃｏｍｐｅｔｅｎｃｅ  Ｃｅｎｔｒｅ  ６５０、ｒｏｕｔｅ  ｄｅｓ  Ｌｕｃｉｏｌｅｓ，０６９２１  Ｓｏｐｈｉａ−Ａｎｔｉｐｏｌｉｓ  Ｃｅｄｅｘ、Ｆｒａｎｃｅの３ＧＰＰ  Ｏｒｇａｎｉｚａｔｉｏｎ  Ｐａｒｔｎｅｒｓ’  Ｐｕｂｌｉｃａｔｉｏｎｓ  Ｏｆｆｉｃｅｓから入手することができる。
【００１１】
ＲＡＮ１１０は、エア・インタフェース１３８を介してＲＡＮからサービスを受けるセルのようなサービス・エリア内のあるＭＳ１０２〜１０４のような移動局に通信サービスを提供する。エア・インタフェース１３８は、各々が複数の通信チャネルを含むダウンリンク１４０とアップリンク１４５とを含む。好ましくは、ダウンリンク１４０は、ページング・チャネル１４１と、少なくとも１つのダウンリンク制御チャネル１４２と、少なくとも１つのダウンリンク・トラヒック・チャネル１４３とを含む。好ましくは、アップリンク１４５は、アップリンク・アクセス・チャネル１４６と、少なくとも１つのアップリンク制御チャネル１４７と、少なくとも１つのアップリンク・トラヒック・チャネル１４８とを含む。
【００１２】
通信システム１００はさらに、ＩＰネットワークのようなデータ・ネットワーク１３４を介してインフラストラクチャ１３２に結合された、特にサーバ１２２に結合されたＩＰマルチキャスト・サーバのようなマルチメディア・ブロードキャスト／マルチキャスト・サービス（ＭＢＭＳ）コンテンツ・プロバイダ１３６を含む。通信システム１００が提供し、ＭＳ１０２〜１０４の各々が加入できるＭＢＭＳサービスの一部として、ＭＢＭＳコンテンツ・プロバイダ１３６は、サーバ１２２、サポート・ノード１１６およびＲＡＮ１１０を介して、通常ＩＰデータ・パケットの形式で、ＭＢＭＳデータをＭＳ１０２〜１０４に送信する。
【００１３】
図１および図２を参照すると、サポート・ノード１１６、サーバ１２２、およびＭＳ１０２〜１０４の各々は、１つまたは複数のマイクロプロセッサ、マイクロコントローラ、ディジタル信号プロセッサ（ＤＳＰ）、それらの組み合わせまたは当業者であれば周知の他のそのようなデバイスなどのそれぞれのプロセッサ１１８、１２４、２０６を含む。さらに、サポート・ノード１１６、サーバ１２２およびＭＳ１０２〜１０４の各々は、データやプロセッサによって実行可能であって、プロセッサを通信システム１００内で動作させるプログラムを記憶するランダム・アクセス・メモリ（ＲＡＭ）、ダイナミック・ランダム・アクセス・メモリ（ＤＲＡＭ）、および／または読み出し専用メモリ（ＲＯＭ）あるいはそれらの同等物のようなそれぞれのプロセッサに関連するそれぞれの１つまたは複数のメモリ素子１２０、１２６、２０８を含む。各ＭＳ１０２〜１０４の１つまたは複数のメモリ素子２０８は、さらに、ＭＳに関連する移動体識別子（移動体ＩＤ）および通信システム１００が提供するＭＢＭＳサービスに関連するサービス識別子（サービスＩＤ）を保持する。さらに、サポート・ノード１１６の１つまたは複数のメモリ素子１２０は、サポート・ノードに一意的に関連するサポート・ノード識別子を保持する。
【００１４】
サービスＩＤはＭＢＭＳサービスに一意的に関連する識別子である。本発明の一実施形態では、サービスＩＤは、ＭＢＭＳサービスを識別するインターネット・プロトコル（ＩＰ）マルチキャスト・アドレスのようなルーティング・アドレスを含むかまたはその一機能である。例えば、ルーティング・アドレスは、イベントまたはＭＢＭＳデータを送信するサーバ１２２上のアプリケーションに関連するデータを送信するＭＢＭＳコンテンツ・プロバイダ１３６のようなＭＢＭＳデータ・ソースに関連する１０．１０．１０．１０のようなＩＰアドレスである。本発明の別の実施形態では、サービスＩＤはルーティング・アドレスを含むかまたはその一機能であり、さらに、サポート・ノード１１６のような特定のサポート・ノードに関連するアクセス・ポイント名（ＡＰＮ）またはサーバ１２２のようなＭＢＭＳサーバをさらに含むかまたはその一機能である。例えば、ＡＰＮは、サポート・ノードまたはサーバを運用する通信システム１００の運用者のようなサービス・プロバイダに関連するユニフォーム・リソース・ロケータ（ＵＲＬ）、例えば、「ｔ−ｍｏｂｉｌｅ．ｃｏｍ」である。本発明の別の実施形態では、サービスＩＤは、通信システム１００が提供するＭＢＭＳサービスを通信システムが提供する他のすべてのＭＢＭＳサービスから区別し、それにより通信システムが各ＭＢＭＳサービスを別々に識別できるようにする任意の識別子である。
【００１５】
各移動局（ＭＳ）１０２〜１０４は、さらに、プロセッサ２０６に動作可能に結合された受信機２０２、送信機２０４およびユーザ・インタフェース２１２を含む。受信機２０２および送信機２０４はそれぞれＭＳによるメッセージの送受信を行う。ユーザ・インタフェース２１２はディスプレイ画面２１４を含み、ＭＳのユーザに、ＭＳに命令を入力する機能を含めてＭＳと対話する機能を提供する。本発明の一実施形態では、ユーザ・インタフェース２１２は、さらに、ＭＳのユーザがＭＳに命令を入力するための複数のキーを含むキーパッドを含む。本発明の別の実施形態では、ディスプレイ画面２１４はタッチ・スクリーン上のユーザの接触位置（すなわち、Ｘ座標およびＹ座標）を決定し、位置データをプロセッサ２０６に搬送できるタッチ・スクリーンを含む。次に、位置データに基づいて、プロセッサ２０６はユーザの接触を命令に変換する。好ましくは、タッチ・スクリーンは、従来の電話機にキーパッド上のキーに対応するソフトキーのような複数のソフトキーを含む「キーパッド」画面を表示することができる。
【００１６】
好ましくは、通信システム１００は、ＵＭＴＳエア・インタフェースの適合標準を提供し、全体として本明細書に組み込むものとする３ＧＰＰ（第３世代パートナーシップ・プロジェクト）標準に従って動作するユニバーサル移動通信サービス（ＵＭＴＳ）通信システムである。これらの標準は、無線システム・パラメータおよび呼処理手順を含む無線通信システムの動作プロトコルを規定する。通信システム１００では、アクセス・チャネル、制御チャネル、ページング・チャネル、およびトラヒック・チャネルのようなダウンリンク１３４またはアップリンク１３５の通信チャネルは、それぞれ同じ周波数帯域内に１つまたは複数の多重タイム・スロットを含む。しかし、通信システム１００は、これらに限定はされないが、汎用パケット無線サービス（ＧＰＲＳ）通信システム、符号分割多元接続（ＣＤＭＡ）２０００通信システム、時分割多元接続（ＴＤＭＡ）通信システム、または直交周波数分割多元接続（ＯＦＤＭ）通信システムのような任意の無線通信システムに従って動作可能であることは当業者には明らかであろう。
【００１７】
通信システム１００がＭＢＭＳサービスの提供に関する加入グループを確立し、加入ＭＳに、関連するＭＢＭＳデータのブロードキャスト／マルチキャストを通知するために、通信システム１００は各々がＭＢＭＳサービスに割り当てられ、サービス加入ＭＳに配信される一時的移動体グループ識別子（ＴＭＧＩ）を生成する。図３は、通信システム１００が本発明の一実施形態によるＭＢＭＳサービスに関連する一時的移動体グループ識別子（ＴＭＧＩ）を生成し、割り当て、配信する方法の論理フロー図３００である。論理フロー図３００は（３０２で）開始し、通信システム１００、特にサーバ１２２が、スーパー
ボウルまたはワールド・カップのサッカーの試合のようなスポーツ・イベントのブロードキャストのようなＭＢＭＳサービスに関するサービス通知を各ＭＳ１０２〜１０４に搬送する（３０４で）。
【００１８】
サービス通知は、例えば、ページング・チャネル１３１上のブロードキャストを介して、ショート・メッセージ・サービス（ＳＭＳ）を介して、またはマルチキャストを介して任意の無線フォーマットで送信することができる。サービス通知は、ＭＳのユーザが用いてイベントに加入するか否かを決定するイベントに関する情報を含む。例えば、この情報はＭＢＭＳサービスに関連する１つまたは複数のサービスＩＤ、イベントに関するデータを送信するＭＢＭＳコンテンツ・プロバイダ１３６のようなＭＢＭＳデータ・ソースに関連する、インターネット・プロトコル（ＩＰ）アドレスのようなルーティング・アドレス、イベントの主題に関する「スポーツ」および／またはより詳細にはイベントがサッカーの試合の時には「サッカー」のような主題カテゴリ、「ワールド・カップ第１試合」のようなイベント・タイトル、およびイベントの日時を含むことができる。
【００１９】
サービス通知の受信（３０６）に応答して、ＭＳ１０２のようなＭＳ１０２〜１０４は、サービス通知で識別されたＭＢＭＳサービスに加入するか否かを決定する（３０８）。ＭＳ、すなわち、ＭＳ１０２がサービス加入を決定すると、ＭＳはインフラストラクチャ１３２、特にサポート・ノード１１６に、ＭＢＭＳサービスへの加入要求を搬送する（３１０）。加入要求は、ＭＢＭＳサービスに関連する識別子、好ましくは、ＭＢＭＳサービスに関連するルーティング・アドレスを含む。ＭＳ１０２がサービス非加入を決定すると、おそらくは、通知の受信を肯定応答する代わりに、ＭＳは通知に応答しない。
【００２０】
本発明の一実施形態では、ＭＳ１０２のようなＭＳ１０２〜１０４は、１つまたは複数のメモリ素子２０８に記憶されたプログラムに基づいて、またはＭＳのユーザがメモリ素子にプログラミングした情報に基づいて、自動的に通知に応答できる。例えば、ＭＳは、主題カテゴリ「スポーツ」または「サッカー」および／または「ワールド・カップ」という語句を含む主題／イベント・タイトルで任意の加入通知に肯定応答するようにプログラミングすることができる。本発明の別の実施形態では、サービス通知に含まれる情報の少なくとも一部、例えば、「ワールド・カップ第１試合」およびイベントの日時をユーザ・インタフェース２１２のディスプレイ画面２１４上に表示できる。さらに、ＭＳはディスプレイ画面２１４上に加入方法に関する命令、例えば、ユーザが選択できるテキストまたはソフトキーあるいはユーザが押して応答できるキーパッドのキーを表示することができる。次いで、ＭＳのユーザは表示されたテキスト、ソフトキー、またはキーを選択してイベントに加入できる。表示されたテキスト、ソフトキー、またはキーのユーザ選択に応答して、ＭＳはサポート・ノード１１６にＭＳのユーザがサービス、すなわち、イベントに加入する意思を示す加入要求を搬送する。応答には、ＭＳに一意的に関連する移動体ＩＤが含まれ、これによりサポート・ノード１１６は要求の発信元を決定することができる。
【００２１】
加入要求の受信（３１２）に応答して、サポート・ノード１１６は、加入ＭＳ、すなわち、ＭＳ１０２がこのサポート・ノード上でこの特定のＭＢＭＳサービスを起動する最初のＭＳであるか否かを判定する（３１４）。ＭＳ１０２がこのサポート・ノード上で特定のＭＢＭＳサービスを起動する最初のＭＳであるという判定に応答して、サポート・ノード１１６は、ＭＢＭＳサービスへの加入を要求するメッセージをサーバ１２２に搬送する（３１６）。本発明の一実施形態では、この要求はサポート・ノード１１６のＭＢＭＳサービス加入の意思を通知するものである。本発明の別の実施形態では、この要求はＭＳ１０２のＭＢＭＳサービス加入の意思またはサポート・ノード１１６およびＭＳ１０２のＭＢＭＳサービス加入の意思を通知するものである。このメッセージはＭＢＭＳサービスに関連する識別子、好ましくは、サービスに関連するサービスＩＤおよび／またはルーティング・アドレスと、サポート・ノード１１６のルーティング・アドレスのような要求を提
出するサポート・ノードを識別するサポート・ノード識別子を含む。このメッセージは加入ＭＳ１０２に関連する移動体ＩＤをさらに含むことができる。
【００２２】
サポート・ノード１１６からＭＢＭＳサービス加入メッセージを受信すると、サーバ１２２は、これが、ＭＢＭＳサービスに加入する、すなわち、ＭＢＭＳサービスまたはイベントに関連するグループに加入する、サーバが受信した時間的に最初の要求であるか否かを判定する（３２０）。サーバ１２２がこれがＭＢＭＳサービスに加入する最初の要求であると判定する（３２０）と、サーバ１２２はサービスに関連する一時的移動体グループ識別子（ＴＭＧＩ）を生成する（３２２）。サポート・ノード１１６ではなくサーバ１２２内でのＴＭＧＩ生成および割り当て機能を突き止めると、通信システム１００はすべてのＴＭＧＩの集中レポジトリとＴＭＧＩの作成、割り当て、配信、および割り当て解除の集中制御を提供し、それによりＴＭＧＩの二重割り当ての可能性を回避し、ＴＭＧＩ再利用を最大限にする。サーバ１２２は、サーバの１つまたは複数のメモリ素子１２６に含まれるデータベース１２８内にＴＭＧＩを記憶し（３２４）、記憶されたＴＭＧＩを生成し、このＴＭＧＩはＭＢＭＳサービスに関連するサービスＩＤおよび／またはルーティング・アドレスのようなＭＢＭＳサービスに関する情報と関連付けてデータベース内に記憶される。さらに、サーバ１２２は、サーバの１つまたは複数のメモリ素子１２６内、好ましくは、データベース１２８内にＴＭＧＩと関連付けて、要求を提出したサポート・ノード１１６のルーティング・アドレスのようなサポート・ノード識別子を記憶することで、イベントに関連する加入グループを作成する（３２８）。さらに、サーバ１２２は、サーバが移動体ＩＤを入手可能になると、応答ＭＳ、すなわち、ＭＳ１０２に関連する移動体ＩＤを記憶することができる。
【００２３】
サーバ１２２が、ＭＢＭＳサービスへの先の加入要求がすでに受信されている、すなわち、関連するＴＭＧＩが生成され、ＭＢＭＳサービスに関連する加入グループが作成されていると判定する（３２０）と、サーバはデータベース１２８から関連するＴＭＧＩを取り出し（３２６）、ＭＳにサービスを提供するサポート・ノードに関連するサポート・ノード１１６のルーティング・アドレスのような応答ＭＳに関連する移動体ＩＤおよびサポート・ノード識別子（サポート・ノードＩＤ）を、ＴＭＧＩおよび対応する加入グループと関連付けてデータベース１２８内に記憶する（３２８）。
【００２４】
ステップ３１４で、サポート・ノード１１６がＭＳ１０２はこのサポート・ノード上でこの特定のＭＢＭＳサービスを起動した最初のＭＳではないと判定すると、サポート・ノード１１６はＭＳのＭＢＭＳサービス加入要求を知らせるメッセージをサーバ１２２に搬送する（３１８）。次に、論理フロー図３００はステップ３２６に進み、ここでサーバ１２２は、ＭＳのＭＢＭＳサービス加入要求を知らせるメッセージの受信に応答して、データベース１２８から関連するＴＭＧＩを取り出す。サーバ１１８はさらに、ＴＭＧＩとＭＳにサービスを提供するサポート・ノードに関連するサポート・ノード識別子を関連付けて、応答ＭＳに関連する移動体ＩＤをデータベース１２８内に記憶する（３２８）。
【００２５】
ＭＢＭＳサービスに関連するＴＭＧＩの生成または取り出しに応答して、サーバ１２２は、サポート・ノード、すなわち、ＭＳにサービスを提供するサポート・ノード１１６を介して応答ＭＳ１０２〜１０４にＴＭＧＩを搬送する（３３０，３３２）。サポート・ノード１１６がサポート・ノードの１つまたは複数のメモリ素子１２０内でＴＭＧＩをローカルに保持しており、かつサポート・ノードがＴＭＧＩを記憶していない時には、サーバ１２２からのＴＭＧＩ受信に応答して、サポート・ノード１１６は、ＭＳ１０２に対応する移動体ＩＤとＭＢＭＳサービスに関連するサービスＩＤと関連付けて、ＴＭＧＩを１つまたは複数のメモリ素子１２０内に記憶する（３３３）。
【００２６】
サービス通知と同様、ＴＭＧＩは、例えば、ページング・チャネル上でページング・メ
ッセージを介して、ショート・メッセージ・サービス（ＳＭＳ）メッセージを介して、またはマルチキャスト・メッセージを介して、任意のセル・ブロードキャスト・フォーマットを介して、ＭＳ１０２に搬送できる。本発明の一実施形態では、サーバ１２２はＴＭＧＩをサポート・ノード１１６に搬送し、次に、サポート・ノードはＴＭＧＩをＭＢＭＳ起動コンテキスト受付メッセージの修正版に載せてＭＳ１０２に搬送する。ＭＢＭＳ起動コンテキスト受付メッセージは当技術分野で周知であり、３ＧＰＰ  ＴＲ  ２３．８４６に記載されている。通信システム１００では、ＭＢＭＳ起動コンテキスト受付メッセージは修正されて、サポート・ノード１１６がサーバ１２２から受信したＴＭＧＩを埋め込むＴＭＧＩデータ・フィールドを含む。さらに、ＴＭＧＩを搬送するメッセージはイベントに加入するＭＳに関連する移動体ＩＤをさらに含むことができ、これによりＭＳはこれがＴＭＧＩの所期の宛先であると判定できる。
【００２７】
本発明の別の実施形態では、サポート・ノード１１６はサポート・ノードの１つまたは複数のメモリ素子１２０内にローカルにＴＭＧＩを記憶できる。すなわち、上記のように、ＭＳ１０２のような第１のＭＳがサポート・ノード１１６を介してＭＢＭＳサービスに加入すると、サポート・ノードは、ＭＢＭＳサービスへの加入要求のサーバへの搬送に応答して、サーバ１２２からＴＭＧＩを受信する。次いで、サポート・ノードは、ＭＢＭＳサービスに対応するサービスＩＤと第１のＭＳ１０２に対応する移動体ＩＤを関連付けて、サポート・ノードの１つまたは複数のメモリ素子１２０内に受信したＴＭＧＩを記憶する。サポート・ノード１１６がサービスを提供する、ＭＳ１０３のような第２のＭＳがＭＢＭＳサービス加入要求をサポート・ノードに後ほど搬送すると、サポート・ノードは、サーバ１２２からＴＭＧＩを入手することなく、単にサポート・ノードの１つまたは複数のメモリ素子１２０からＴＭＧＩを取り出し（３１５）、ＴＭＧＩをＭＳ、すなわちＭＳ１０３に搬送する（３３２）。そのような実施形態では、サポート・ノード１１６は、さらに、ＭＢＭＳサービスに対応するＴＭＧＩおよびサービスＩＤと関連付けて、１つまたは複数のメモリ素子１２０内に、後から加入したＭＳ、すなわち、ＭＳ１０３に関連する移動体ＩＤを記憶する（３１７）。
【００２８】
ＭＳ１０２のようなＭＳがＴＭＧＩを受信すると（３３４）、ＭＳ１０２はＭＳの１つまたは複数のメモリ素子２０８のテーブル２１０内にＴＭＧＩを記憶する（３３６）。好ましくは、ＴＭＧＩはＭＢＭＳサービスに関連するＩＰマルチキャスト・アドレスおよびＡＰＮと関連付けてテーブル２１０に記憶される。本明細書で特に断りのない限り、本明細書でＭＳ１０２〜１０４が実行すると記載されているすべての機能はＭＳのプロセッサ２０６によって実行され、本明細書でサポート・ノード１１６またはサーバ１２２が実行すると記載されているすべての機能は、それぞれサポート・ノードのプロセッサ１１８とサーバのプロセッサ１２４によって実行される。
【００２９】
図４は、本発明の一実施形態によるＴＭＧＩのビット・レイアウト４００である。ＴＭＧＩの一実施形態では、ＴＭＧＩは、加入グループまたはＭＢＭＳサービスに関連するグループ識別子（グループＩＤ）が埋め込まれた第１のグループ識別子（グループＩＤ）データ・フィールド４０２を含む。本発明の一実施形態では、グループＩＤは、ＭＢＭＳサービスに対応するサービスＩＤ、ＭＢＭＳサービスに関連するルーティング・アドレス、またはＭＢＭＳサービスに関連するルーティング・アドレスおよびＡＰＮのような他のサービス識別情報の派生物である。グループＩＤはそのような情報を含むことができ、またはビット空間が限られている時には、そのような情報の短縮されたバージョンを含むことができる。例えば、サーバ１２２はそのような情報の短縮されたバージョンを決定するために情報にハッシング関数を適用することができる。本発明の別の実施形態では、グループＩＤは、「ワールド・カップ・サッカー２００４、第１試合」のようなイベント名またはイベント名、およびイベント日時のようなサービスを一意的に識別する任意の識別子でよい。
【００３０】
ＴＭＧＩの別の実施形態では、ＴＭＧＩは、第１のデータ・フィールド４０２に加えて第２のデータ・フィールド４０４をさらに含む。第２のデータ・フィールド４０４には、ＭＢＭＳサービスに関連する１つまたは複数の通信セッションの各通信セッションに関連する識別子が埋め込まれている。すなわち、ＭＢＭＳサービスは複数の通信セッションを介してイベントをブロードキャストできる。例えば、ＭＢＭＳサービスはサッカーの試合のようなスポーツ・イベントのブロードキャストに関係することができる。ＭＢＭＳサービスは、イベントの連続的なブロードキャストを提供するのではなく、複数の通信セッションを介してイベントをブロードキャストするが、ここで複数の通信セッションの各通信セッションは、複数のゴールの各々に関するビデオ・クリップまたはテキスト、周期的な得点更新、および／または周期的な試合のハイライトのようなイベントの別々の側面に関係する。複数の通信セッションの各通信セッションを、ＭＢＭＳコンテンツ・プロバイダ１３６またはサーバ１２２が生成するセッション識別子（セッションＩＤ）またはシーケンス識別子（シーケンスＩＤ）のような一意的な識別子と関連付けることができる。例えば、第１のゴールのような第１の通信セッションをセッションまたはシーケンスＩＤ「１」と関連付け、第２のゴールのような第２の通信セッションをセッションまたはシーケンスＩＤ「２」と関連付け、以下同様にすることができる。セッションＩＤは必ずしも連続している必要はないが、シーケンスＩＤは連続である。次に、ＩＤを生成するネットワーク要素がセッションまたはシーケンスＩＤを通信セッションに関連するデータ・パケット内に埋め込むことができる。
【００３１】
ＴＭＧＩ内にセッションＩＤまたはシーケンスＩＤを含めることで、ＭＢＭＳサービスの加入者はＭＢＭＳデータの再送の検出機能を改善することができ、加入者は再送データを受信するか否かを決定できる。例えば、ＭＢＭＳ通信セッションに関連する１つまたは複数のＭＢＭＳデータ・パケットの組がＭＢＭＳコンテンツ・プロバイダ１３６によってサーバ１２２を介してＲＡＮ制御装置１１４に搬送される前に、セッションＩＤまたはシーケンスＩＤを含んでいてもよいＴＭＧＩがＲＡＮ制御装置１１４に搬送される。次いで、ＲＡＮ制御装置１１４はサービスに加入しているＭＳ１０２〜１０４にＴＭＧＩをブロードキャストする。ＴＭＧＩを受信すると、ＭＳ１０２〜１０４はＴＭＧＩをパーズしてセッションＩＤまたはシーケンスＩＤを入手し、入手したＩＤを記憶する。セッションＩＤまたはシーケンスＩＤが（メモリから）すでに受信されていることをＭＳが検出すると、ＭＳはこのセッションの次のＭＢＭＳデータの受信を拒絶するか、データを受信するか否かの判断をユーザに問い合わせる。
【００３２】
ＭＢＭＳサービスに対応するイベントが開始すると、サーバ１２２は、ＭＢＭＳコンテンツ・プロバイダ１３６から、得点、ハイライト、および／またはビデオ・クリップのようなイベントに関連するペイロード・データを含む一組のデータ・パケットを受信する（３３８）。一組のデータ・パケットの受信に応答して、サーバ１２２は、サービスＩＤとＴＭＧＩがサーバによってデータ・パケット内に埋め込まれたＭＢＭＳサービスと関連付けられた（３４０）状態で、サポート・ノード１１６を介してＲＡＮ制御装置１１４にデータ・パケットの組を搬送する（３４２）。サーバ１２２は、さらに、搬送されるデータ・パケットに、データ・パケットに含まれるペイロードに関連する「セッション記述」を含めることができる。「セッション記述」は、「ゴール１」、「ゴール２」のようなデータ・パケットの組に含まれるペイロードを記述する単語または語句である。本発明の一実施形態では、「セッション記述」はサーバ１２２によってデータ・パケットの組に埋め込まれる。本発明の別の実施形態では、ＭＢＭＳコンテンツ・プロバイダ１３６は、データ・パケットの組に「セッション記述」を埋め込むことができる。
【００３３】
データ・パケットの組と関連するサービスＩＤおよびＴＭＧＩの受信に応答して、ＲＡＮ制御装置１１４は、現在ＲＡＮ制御装置によってサービスを提供され、ＭＢＭＳサービ
スに加入している各ＭＳ１０２〜１０４との通信セッションを設定する（３４４）。ＲＡＮ制御装置１１４は、通信セッションの設定プロセスの一部として、ＲＡＮ制御装置が、加入グループに割り当てられたＴＭＧＩを各ＭＳにさらに搬送し、ペイロードを記述するセッション記述をさらに搬送できる点を除き、周知のＭＢＭＳ通信セッション設定技法に従って通信セッションを設定する。
【００３４】
例えば、本発明の一実施形態では、通信セッションを設定するステップ（３４４）は以下のステップを含むことができる。ＲＡＮ制御装置１１４は、トランシーバ１１２およびダウンリンク制御チャネル１３６を介して、ＲＡＮがサービスを提供するすべてのＭＳにＭＢＭＳ通知をブロードキャストする。第１の通知はＭＢＭＳサービスに関連するサービスＩＤ、加入グループに割り当てられたＴＭＧＩ、および受信したＭＢＭＳデータの組に関連するセッション記述を含む。ＭＢＭＳ通知の受信に応答して、ＭＢＭＳサービスに加入している空きモードの各ＭＳはウェークアップする。さらに、ＭＢＭＳ通知の受信に応答して、ＭＢＭＳサービスに加入している各ＭＳ１０２〜１０４はＭＳの１つまたは複数のメモリ素子２０８を検査して、通知に含まれるセッション記述が該１つまたは複数のメモリ素子に保持されているセッション記述と一致するか否かを判定する。一致しない場合、ＭＢＭＳサービスに加入しており、第１の通知を受信するセル内の各ＭＳは、接続要求、通常、無線リソース制御（ＲＲＣ）接続確立要求をアクセス・チャネル経由でＲＡＮ制御装置１１４に搬送する。加入ＭＳの各々から接続要求を受信すると、ＲＡＮ制御装置１１４は、ＲＡＮ制御装置が確立すると決定したＰＴＭ通信チャネルまたはＰＴＰ通信チャネルを確立することで各応答ＭＳとの通信セッションを設定する。
【００３５】
ＰＴＭ通信チャネルまたはＰＴＰ通信チャネルを確立すると、ＲＡＮ制御装置１１４は確立した１つまたは複数のチャネルを介して、加入ＭＳ１０２〜１０４にデータ・パケットの組を搬送する（３４６）。データ・パケットの組を受信すると、各ＭＳ１０２〜１０４は、ＭＳの１つまたは複数のメモリ素子２０８内に、データ・パケットの組に含まれるセッション記述を記憶し、セッション記述とユーザ・インタフェース２１２の表示画面２１４上のデータ・パケットの組に含まれる得点またはビデオ・クリップのようなペイロードを表示する。イベントが終了すると、サーバ１２２はイベントからＴＭＧＩを割り当て解除し（３４８）、これによりＴＭＧＩを解放して別のイベントに割り当てられるようにする。ＴＭＧＩがサポート・ノード１１６によってローカルに記憶される本発明の実施形態では、サーバ１２２はさらにＴＭＧＩの割り当て解除をサポート・ノードに通知し（３４９）、サポート・ノードはサポート・ノードの１つまたは複数のメモリ素子１２０から記憶されたＴＭＧＩを削除する。これで論理フロー図３００は終了する（３５０）。
【００３６】
本発明の一実施形態では、サーバ１２２はイベント後の第１の所定の期間が満了して初めてＴＭＧＩを割り当て解除する。イベント終了後、所定時間待ってからＴＭＧＩを割り当て解除することで、サーバ１２２は所定の期間中にイベント加入ＭＳがＭＢＭＳデータを再生し、不明ＭＢＭＳデータを再搬送することを可能にする。例えば、イベントがスポーツ・イベントの場合、サーバ１２２はイベント終了後１〜２日経つまでＴＭＧＩを割り当て解除することができない。しかし、所定の期間は通信システム１００の設計者に任されており、スポーツ・イベント、コンサート、講演など、ブロードキャストするイベントのタイプによって変わることがある。本発明の別の実施形態では、第１の期間は動的に決定できる。例えば、サーバ１２２は、イベントに関連するＭＢＭＳデータの再生または再搬送要求を加入ＭＳから受信したか否かに関して定期的にサポート・ノード１１６に問い合わせすることができる。第２の期間内にＭＢＭＳデータの再生または再搬送要求が受信されなかったとサーバ１２２が判定すると、サーバはイベントに関連するＴＭＧＩを割り当て解除する。サーバ１２２は、サーバが第１および第２の期間をカウントダウンするための、サーバに含まれプロセッサ１２４に結合されたタイマ１３０を参照して、第１および第２の期間を決定する。
【００３７】
ＲＡＮにとってトランスペアレントで、レイヤ間の対話を必要とせず、１つまたは複数の通信セッションの確立後のイベントに加入するＭＳへの不明ＭＢＭＳデータの搬送をサポートするような方法で、ＭＢＭＳデータの再生および不明ＭＢＭＳデータの再搬送を可能にするため、通信システム１００はＭＢＭＳコンテンツ・プロバイダ１３６によるイベント関連データ・パケットの自動再搬送をさらに可能にする。データ・パケットを再搬送することで、イベントに加入している各ＭＳは、不明データ・パケットを取り込む機会、またはすでに受信したデータ・パケットの情報を再生する機会を得る。再搬送はデータの最初の搬送後いつでも実行できるが、グループへのその後の大半の加入ＭＳのデータを取り込み、一時的に通信システム１００のサービス・エリアの外に出たＭＳがシステムのサービス・エリアに復帰できるようにするため、最初の搬送から十分な時間を空けた時点で実行するのが好ましい。
【００３８】
一時的移動体グループ識別子（ＴＭＧＩ）を生成し、ＭＢＭＳサービスに割り当て／割り当て解除するＭＢＭＳサーバ１２２を提供することで、通信システム１００は、ＴＭＧＩの二重割り当ての尤度を最小限にする。すなわち、ＴＭＧＩ生成および割り当て機能をＭＢＭＳサーバ１２２の中心に配置することで、通信システム１００はＴＭＧＩの二重割り当ての可能性を回避し、ＴＭＧＩの再利用を最大限にする。ＭＢＭＳサーバ１２２は、ＭＢＭＳサービスへの加入要求の受信に応答して、ＴＭＧＩを生成する。ＭＢＭＳサーバ１２２はＭＢＭＳサービスにＴＭＧＩを割り当て、サーバの１つまたは複数のメモリ素子１２６のデータベース１２８内に、ＭＢＭＳサービスに関する情報と関連付けて、ＴＭＧＩを記憶し、記憶されたＴＭＧＩを生成する。ＭＢＭＳサーバ１２２はさらに受信した要求の送信元にＴＭＧＩを搬送し、それによりＭＢＭＳサービスに加入している移動局へのＴＭＧＩへの配信を可能にする。本発明の一実施形態では、第１の移動局がＭＢＭＳサービスに先に加入し、ＴＭＧＩが先に作成され記憶された後で、第２の移動局がＭＢＭＳサービスへの加入を要求すると、ＭＢＭＳサーバ１２２は、サーバの１つまたは複数のメモリ素子１２６から記憶されたＴＭＧＩを取り出し、第２の移動局に記憶されたＴＭＧＩを搬送する。本発明の別の実施形態では、サポート・ノード１１６は、サポート・ノードの１つまたは複数のメモリ素子１２０に、ＭＢＭＳサーバによって生成され配信されたＴＭＧＩをローカルに記憶することができる。第１の移動局がサポート・ノードを介してＭＢＭＳサービスに先に加入した後で第２の移動局がＭＢＭＳサービスへの加入を要求すると、サポート・ノードは、サポート・ノードの１つまたは複数のメモリ素子１２０に記憶されたＴＭＧＩを取り出し、ローカルに記憶されたＴＭＧＩを第２の移動局に搬送することができる。
【００３９】
本発明を特定の実施形態に関して図示し、記述してきたが、特許請求の範囲に記載する本発明の範囲を逸脱することなく本発明をさまざまに変更し、等価物をその要素と入れ替えることが可能であることは当業者には明らかであろう。したがって、本明細書および図面は限定的ではなく例示的なものであり、上記すべての変更および代替は本発明の範囲に含まれる。
【００４０】
特定の実施形態を参照しながら、本発明の有利な点、他の利点および問題の解決方法について説明してきた。しかし、何らかの有利な点、利点または解決方法をもたらしたり、より優れたものにすることができる上記有利な点、利点、問題の解決方法、および任意の要素は、任意のまたはすべての請求項の重要な、必要なまたは本質的な機能または要素と解釈すべきではない。本明細書で使用する場合、「備える」、「備えている」または任意の派生語は、要素のリストを備えるプロセス、方法、物品または装置が、これらの要素を含むばかりでなく、リストに明示されていないか、またはこのようなプロセス、方法、物品または装置固有の他の要素を含むことができるように、非排他的な内容を含む。さらに、本明細書で特に断りのない限り、第１および第２、上および下のような関係を示す用語
がある場合、これらの用語はあるエンティティまたは動作を別のエンティティまたは動作から区別するためにのみ使用され、そのようなエンティティまたは動作の間の実際のそのような関係または順序を必ずしも必要とするものではなく、また意味するものでもない。
【図面の簡単な説明】
【００４１】
【図１】本発明の一実施形態による無線通信システムのブロック図。
【図２】本発明の一実施形態による図１の移動局のブロック図。
【図３Ａ】図１の通信システムが本発明の一実施形態によるマルチメディア・ブロードキャスト／マルチキャスト・サービスに関連する一時的移動体グループ識別子を生成し、割り当て、配信する方法の論理フロー図。
【図３Ｂ】図１の通信システムが本発明の一実施形態によるマルチメディア・ブロードキャスト／マルチキャスト・サービスに関連する一時的移動体グループ識別子を生成し、割り当て、配信する方法の図３Ａの論理フロー図の続き。
【図４】本発明の一実施形態による一時的移動体グループ識別子のブロック図。
【図１】
2007535186.tif 000003
【図２】
2007535186.tif 000004
2007535186.tif 000005
2007535186.tif 000006
【図４】
2007535186.tif 000007